(57)【要約】【課題】端面及び側面に端子電極が形成された積層コンデンサであって、内部電極の短絡を防止することが可能な積層コンデンサを提供すること。【解決手段】積層コンデンサ１は、誘電体層１０と第１及び第２の内部電極１１，１２とを有する直方体形状のコンデンサ素体２と、コンデンサ素体２の端面２ｃ，２ｄに配置されて第１の内部電極１１に接続される第１の端子電極３，４と、コンデンサ素体２の側面２ｅ，２ｆと実装面２ｂとに跨って配置されて第２の内部電極１２に接続される第２の端子電極５，６とを備える。第１の内部電極１１は、第１の幅Ｗ１である幅広部１１ａ，１１ｂと、第１の幅Ｗ１よりも狭い第２の幅Ｗ２である幅狭部１１ｃとを有し、幅狭部１１ｃが、積層方向から見て、実装面２ｂに配置された第２の端子電極５，６とは重ならないように形成されている。【選択図】図２
2011049490.tif 000002
【特許請求の範囲】
【請求項１】
積層された複数の誘電体層と、前記複数の誘電体層の内のいずれかの誘電体層を介して互いに対向する第１及び第２の内部電極とを有し、且つ、前記複数の誘電体層の積層方向と交差する実装面を含む直方体形状を呈するコンデンサ素体と、
前記コンデンサ素体において前記実装面の短辺方向に延びる端面に配置され且つ前記第１の内部電極に接続される第１の端子電極と、
前記コンデンサ素体において前記実装面の長辺方向に延びる側面と当該側面に連接する前記実装面とに跨って配置され且つ前記第２の内部電極に接続される第２の端子電極と、を備え、
前記第１の内部電極は、前記側面の対向方向における幅が第１の幅である幅広部と、前記側面の対向方向における幅が前記第１の幅よりも狭い第２の幅である幅狭部とを有し、
前記幅狭部は、前記積層方向から見て、前記実装面に配置された前記第２の端子電極とは重ならないように形成されていることを特徴とする積層コンデンサ。
【請求項２】
前記幅広部は、前記積層方向において、前記第２の内部電極と少なくとも一部が対向するように形成されていることを特徴とする請求項１記載の積層コンデンサ。
【請求項３】
前記第１及び第２の内部電極は、前記積層方向から見た際に前記実装面に配置された前記第２の端子電極に対応する領域以外の領域で、前記積層方向において対向していることを特徴とする請求項１又は２記載の積層コンデンサ。
【請求項４】
前記第２の端子電極は、導電性の樹脂電極を含むことを特徴とする請求項１〜３のいずれか一項に記載の積層コンデンサ。
【請求項５】
前記第１の端子電極は、導電性の樹脂電極を含むことを特徴とする請求項１〜４のいずれか一項に記載の積層コンデンサ。
【発明の詳細な説明】
【技術分野】
【０００１】
本発明は、積層コンデンサに関する。
【背景技術】
【０００２】
従来から、両端に端子電極を備えた直方体形状の積層コンデンサが知られている。この２端子型の積層コンデンサでは、半田等を用いて両端子電極を回路基板上の電極に接続し、回路基板への実装を行っている。ところが、実装に使用される半田フィレットの熱収縮による応力によって積層コンデンサの端子電極付近にクラックが入り、その隙間から水分等が侵入して、積層コンデンサ内の内部電極を短絡させてしまうことがあった。このため、例えば、特許文献１記載の積層コンデンサでは、交互に積層する内部電極の長手方向の長さを所定の関係を満たすように短くすることで、かかる短絡を防止するようにしていた。
【先行技術文献】
【特許文献】
【０００３】
【特許文献１】特開２００３−０２２９２９号公報
【発明の概要】
【発明が解決しようとする課題】
【０００４】
ところで、両端面だけでなく、端面に隣接する両側面にも端子電極を備えた４端子型の積層コンデンサ７１では、図１２に示すような回路基板Ｓの曲げの発生により、曲げの発生に追従しやすい端面側の端子電極７３，７４よりも、曲げの発生に追従しづらい側面側の端子電極７５，７６の付近において、クラックＣが発生しやすかった（図１３の断面図参照）。このため、４端子型の積層コンデンサでは、端面側での短絡防止方法を示した特許文献１の手法をそのまま適用して、内部電極の短絡を防止することは難しかった。なお、クラックＣは、例えば、図１３に示すように、実装面７２ｂにおける端子電極７６の先端Ｃ１を起点として半田Ｐの塗布最上端Ｃ２に到るように発生する場合が多い。
【０００５】
本発明は、端面及び側面に端子電極が形成された積層コンデンサであって、内部電極の短絡を防止することが可能な積層コンデンサを提供することを目的とする。
【課題を解決するための手段】
【０００６】
上記課題を解決するため、本発明に係る積層コンデンサは、積層された複数の誘電体層と、複数の誘電体層の内のいずれかの誘電体層を介して互いに対向する第１及び第２の内部電極とを有し、且つ、複数の誘電体層の積層方向と交差する実装面を含む直方体形状を呈するコンデンサ素体と、コンデンサ素体において実装面の短辺方向に延びる端面に配置され且つ第１の内部電極に接続される第１の端子電極と、コンデンサ素体において実装面の長辺方向に延びる側面と当該側面に連接する実装面とに跨って配置され且つ第２の内部電極に接続される第２の端子電極と、を備え、第１の内部電極は、側面の対向方向における幅が第１の幅である幅広部と、側面の対向方向における幅が第１の幅よりも狭い第２の幅である幅狭部とを有し、幅狭部は、積層方向から見て、実装面に配置された第２の端子電極とは重ならないように形成されていることを特徴としている。
【０００７】
本発明に係る積層コンデンサでは、第１の内部電極が、第１の幅である幅広部と第１の幅よりも狭い第２の幅である幅狭部とを有し、この幅狭部が、積層方向から見て、実装面に配置された第２の端子電極とは重ならないように形成されている。このため、側面及び実装面に跨って配置される第２の端子電極の形成領域において、仮に上述したようなクラックが発生したとしても、第１の内部電極にクラックが発生することが抑止され、その結果、第１及び第２の内部電極間に液体等が侵入して短絡が発生してしまうことを防止できる。
【０００８】
好ましくは、幅広部は、積層方向において、第２の内部電極と少なくとも一部が対向する。または、好ましくは、第１及び第２の内部電極は、積層方向から見た際に実装面に配置された第２の端子電極に対応する領域以外の領域で、積層方向において対向している。この場合、第１及び第２の内部電極が対向する領域を十分に確保することができ、静電容量を大きくすることができる。
【０００９】
好ましくは、第２の端子電極は、導電性の樹脂電極を含む。この場合、樹脂電極によって応力を緩和させることで、第２の端子電極付近でのクラックの発生を抑止することが可能となる。また、好ましくは、第１の端子電極は、導電性の樹脂電極を含む。この場合も、樹脂電極によって応力を緩和させることで、第１の端子電極付近でのクラックの発生を抑止することが可能となる。
【発明の効果】
【００１０】
本発明によれば、端面及び側面に端子電極が形成された積層コンデンサであって、内部電極の短絡を防止することが可能な積層コンデンサを提供することができる。
【図面の簡単な説明】
【００１１】
【図１】第１実施形態に係る積層コンデンサの斜視図である。
【図２】第１実施形態に係る積層コンデンサの内部電極の平面図である。
【図３】図１におけるＩＩＩ−ＩＩＩ線断面図である。
【図４】第１実施形態に係る積層コンデンサの内部電極の変形例を示す平面図である。
【図５】第２実施形態に係る積層コンデンサの内部電極の平面図である。
【図６】第２実施形態に係る積層コンデンサの内部電極の変形例を示す平面図である。
【図７】第３実施形態に係る積層コンデンサの内部電極の平面図である。
【図８】第３実施形態に係る積層コンデンサの内部電極の変形例を示す平面図である。
【図９】第４実施形態に係る積層コンデンサの斜視図である。
【図１０】第４実施形態に係る積層コンデンサの内部電極の平面図である。
【図１１】第５実施形態に係る積層コンデンサの断面図である。
【図１２】４端子型の積層コンデンサが実装された回路基板に曲げが発生した状態を示す図である。
【図１３】図１２で示した曲げで発生するクラックを示す積層コンデンサの断面図である。
【発明を実施するための形態】
【００１２】
以下、添付図面を参照して、本発明の好適な実施形態について詳細に説明する。なお、説明において、同一要素又は同一機能を有する要素には、同一符号を用いることとし、重複する説明は省略する。
【００１３】
（第１実施形態）
まず、図１〜図３を参照して、第１実施形態に係る積層コンデンサ１の構成について説明する。積層コンデンサ１は、図１に示すように、直方体形状をしたコンデンサ素体２と、コンデンサ素体２の外表面に配置された端子電極３，４，５，６とを備えた４端子型の積層コンデンサである。
【００１４】
コンデンサ素体２は、対向する第１及び第２の主面２ａ，２ｂと、対向し且つ第１及び第２の主面２ａ，２ｂの短辺方向に沿って延びる第１及び第２の端面２ｃ，２ｄと、対向し且つ第１及び第２の主面２ａ，２ｂの長辺方向に沿って延びる第１及び第２の側面２ｅ，２ｆとを含んでいる。第１及び第２の端面２ｃ，２ｄと第１及び第２の側面２ｅ，２ｆとは、第１及び第２の主面２ａ，２ｂ間を連結するように延びる。なお、本実施形態では、第２の主面２ｂが回路基板に実装される側の面（実装面）を構成する。
【００１５】
コンデンサ素体２の第１の端面２ｃには、第１の主面２ａから第２の主面２ｂにかけて第１の端面２ｃの略全面を覆うように第１の端子電極３が配置される。コンデンサ素体２の第２の端面２ｄには、第１の主面２ａから第２の主面２ｂにかけて第２の端面２ｄの略全面を覆うように、別の第１の端子電極４が配置される。第１の端子電極３，４は、コンデンサ素体２を間に挟んで、第１及び第２の端面２ｃ，２ｄの対向方向に互いに対向する一対の端子電極を構成する。
【００１６】
コンデンサ素体２の第１の側面２ｅには、第１の主面２ａから第２の主面２ｂにかけて第１の側面２ｅの中央部のみを覆うように第２の端子電極５が配置される。コンデンサ素体２の第２の側面２ｆには、第１の主面２ａから第２の主面２ｂにかけて第２の側面２ｆの中央部のみを覆うように、別の第２の端子電極６が配置される。このように、第１又は第２の側面２ｅ，２ｆと当該側面２ｅ，２ｆに連接する実装面２ｂ等に跨って配置された第２の端子電極５，６は、コンデンサ素体２を間に挟んで、第１及び第２の側面２ｅ，２ｆの対向方向に互いに対向する一対の端子電極を構成する。
【００１７】
各端子電極３〜６は、例えば、導電性金属粉末を含む導電性ペーストをコンデンサ素体２の外表面に付与し、焼き付けることによって形成される。必要に応じて、焼き付けられた電極の上にめっき層を形成してもよい。後述する他の端子電極も同様に形成される。
【００１８】
コンデンサ素体２は、図２及び図３に示されるように、積層された複数の誘電体層１０と、通電電極１１（第１の内部電極）と、誘電体層１０を介して通電電極１１と対向するＧＮＤ電極１２（第２の内部電極）とを有している。通電電極１１とＧＮＤ電極１２とは、誘電体層１０を介して交互に積層される。
【００１９】
誘電体層１０は、第１及び第２の主面２ａ，２ｂに平行な方向に延びており、第１及び第２の主面２ａ，２ｂが対向する方向に積層されている。つまり、第１及び第２の主面２ａ，２ｂの対向方向が誘電体層１０の積層方向となり、この積層方向は、上述した実装面と直交する。誘電体層１０は、例えば、誘電体セラミックを含むセラミックグリーンシートの焼結体から構成される。実際の積層コンデンサ１では、各誘電体層１０間の境界が視認できない程度に一体化されている。
【００２０】
通電電極１１は、電気信号を送信するための電極であり、図２（ａ）に示すように、複数の誘電体層１０の内の何れかの誘電体層１０上に形成された略矩形の内部電極である。通電電極１１は、第１及び第２の端面２ｃ，２ｄの対向方向の中央部にくびれた部分を有するように形成され、幅が通常幅Ｗ１（第１の幅）である矩形の幅広部１１ａ，１１ｂと、幅が通常幅Ｗ１よりも狭いくびれ幅Ｗ２である矩形の幅狭部１１ｃとを含んで構成される。幅狭部１１ｃは、くびれた部分に相当する。なお、ここで用いる「幅」は、第１及び第２の側面２ｅ，２ｆの対向方向における距離を意味する。
【００２１】
幅広部１１ａは、幅狭部１１ｃの一端と連接し、後述するＧＮＤ電極１２と対向する対向部と、当該対向部から第１の端面２ｃに臨むように延びる引出部とを含んで構成される。第１の端面２ｃに引き出された幅広部１１ａの引出部は、第１の端子電極３に電気的且つ物理的に接続される。幅広部１１ｂは、幅狭部１１ｃの他端と連接し、ＧＮＤ電極１２と対向する対向部と、当該対向部から第２の端面２ｄに臨むように延びる引出部とを含んで構成される。第２の端面２ｄに引き出された幅広部１１ｂの引出部は、第１の端子電極４に電気的且つ物理的に接続される。
【００２２】
幅狭部１１ｃは、幅広部１１ａ，１１ｂの間に位置しており、積層方向から見て、実装面２ｂに配置された第２の端子電極５，６（図２（ａ）の点線で図示）とは重ならないように形成される。いいかえると、実装面２ｂに配置された第２の端子電極５，６を結んだ線上に位置する幅狭部１１ｃは、第２の端子電極５，６と重ならないように、幅広部１１ａ，１１ｂよりも幅が狭くなるように形成されている。幅狭部１１ｃは、その全面が、ＧＮＤ電極１２と対向する。
【００２３】
ＧＮＤ電極１２は、図２（ｂ）に示すように、複数の誘電体層１０の内の何れかの誘電体層１０上に形成された略十字形の内部電極である。ＧＮＤ電極１２は、通電電極１１の幅広部１１ａ，１１ｂや幅狭部１１ｃと対向してコンデンサ部を形成する矩形の主電極部１２ａと、主電極部１２ａから第１の側面２ｅに臨むように延びる引出部１２ｂと、主電極部１２ａから第２の側面２ｆに臨むように延びる引出部１２ｃとを含んで構成される。第１の側面２ｅに引き出された引出部１２ｂは、第２の端子電極５に電気的且つ物理的に接続され、第２の側面２ｆに引き出された引出部１２ｃは、第２の端子電極６に電気的且つ物理的に接続される。各内部電極１１，１２は、上述した各形状に対応した開口部を有するスクリーンを用いて印刷された導電性ペーストの焼結体から構成される。後述する他の内部電極も同様に形成される。
【００２４】
このような構成を備えた積層コンデンサ１では、図３に示すように、通電電極１１とＧＮＤ電極１２とが誘電体層１０を介して交互に積層され、通電電極１１とＧＮＤ電極１２とが対向する部分により、積層コンデンサ１のコンデンサ部が構成されるようになっている。
【００２５】
ここで、積層コンデンサ１を回路基板に実装した際のクラックＣの発生及びその発生に伴う短絡について説明する。回路基板に実装された積層コンデンサ１では、回路基板に対して曲げなどの外部応力が作用すると（図１２参照）、例えば、図１のIII-III線断面図である図３に示すように、実装面２ｂ上の端子電極６の先端Ｃ１を起点としてクラックＣが発生し、半田フィレットを塗布した最上端Ｃ２まで、そのクラックＣが延びる場合がある。しかしながら、本実施形態に係る積層コンデンサ１では、端子電極６に重ならないような幅狭部１１ｃを通電電極１１が有しているため、端子電極５，６を結ぶ線上付近において、通電電極１１は、この先端Ｃ１（側面２ｆからの距離Ｄ１の位置）よりもコンデンサ素体２の内側（側面２ｆからの距離Ｄ２の位置）となるように構成されることになる。このため、仮に積層コンデンサ１にクラックＣが発生したとしても、少なくとも通電電極１１が破断しないようになっている。
【００２６】
以上のように、本実施形態に係る積層コンデンサ１では、通電電極１１が幅Ｗ１である幅広部１１ａ，１１ｂと幅Ｗ１よりも狭い幅Ｗ２である幅狭部１１ｃとを有し、この幅狭部１１ｃが、積層方向から見て、実装面２ｂに配置された第２の端子電極５，６とは重ならないように形成されている。このため、側面２ｅ，２ｆ及び実装面２ｂに跨って配置される第２の端子電極５，６の形成領域においてクラックＣが仮に発生したとしても、通電電極１１にクラックＣが発生することが抑止されるようになっている。その結果、通電電極１１及びＧＮＤ電極１２の間に液体等が侵入して、両内部電極間で短絡が発生してしまうことを防止できる。
【００２７】
また、積層コンデンサ１では、幅広部１１ａ，１１ｂが、積層方向において、ＧＮＤ電極と少なくとも一部が対向するようになっている。すなわち、幅狭部１１ｃを必要以上に長くしないようにしている。また、通電電極１１及びＧＮＤ電極１２は、積層方向から見た際に実装面２ｂに配置された第２の端子電極５，６に対応する領域以外の領域で、積層方向において対向するようになっている。このため、短絡を防止するために積層コンデンサ１のコンデンサ部を必要以上に小さくすることを抑止でき、第１及び第２の内部電極が対向する領域を十分に確保することができる。その結果、積層コンデンサ１によれば、内部電極間の短絡を防止しつつ静電容量を大きくすることもできる。
【００２８】
第１実施形態に係る積層コンデンサ１に用いられる内部電極１１，１２の変形例としては、例えば、図４（ａ）、（ｂ）に示される構成の内部電極１１，１２であってもよい。図４に示される変形例では、通電電極１１の幅狭部１１ｃの形状が異なっており、この幅狭部１１ｃでは、第１及び第２の端面２ｃ，２ｄの対向方向における外縁が内側に湾曲する形状となっている。この幅狭部１１ｃでは、湾曲して最も狭くなっている部分の幅がＷ２となっており、上記同様、この幅狭部１１ｃは、積層方向から見て、実装面２ｂに配置された第２の端子電極５，６とは重ならないように形成されている。その他の構成は、上述した構成と同様である。
【００２９】
（第２実施形態）
続いて、図１及び図５を参照して、第２実施形態に係る積層コンデンサ１ａの構成について説明する。積層コンデンサ１ａは、第１実施形態と同様、直方体形状をしたコンデンサ素体２と、コンデンサ素体２の外表面に配置された端子電極３，４，５，６とを備えた４端子型の積層コンデンサである。以下、第１実施形態と異なる点を中心に説明する。
【００３０】
コンデンサ素体２は、図５に示されるように、積層された複数の誘電体層１０と、第１通電電極２１（第１の内部電極）と、誘電体層１０を介して第１通電電極２１と対向するＧＮＤ電極１２（第２の内部電極）と、誘電体層１０を介してＧＮＤ電極１２と対向する第２通電電極２２とを有している。第１及び第２の通電電極２１，２２とＧＮＤ電極１２とは、誘電体層１０を介して交互に積層される。
【００３１】
第１通電電極２１は、電気信号を送信するための電極であり、図５（ａ）に示すように、複数の誘電体層１０の内の何れかの誘電体層１０上に形成された略矩形の内部電極である。第１通電電極２１は、第１及び第２の端面２ｃ，２ｄの対向方向の中央部にくびれた部分を有するように形成され、幅が通常幅Ｗ１である矩形の幅広部２１ａ，２１ｂと、幅が通常幅Ｗ１よりも狭いくびれ幅Ｗ２である矩形の幅狭部２１ｃとを含んで構成される。
【００３２】
幅広部２１ａは、幅狭部２１ｃの一端と連接し、ＧＮＤ電極１２と対向する対向部と、当該対向部から第１の端面２ｃに臨むように延びる引出部とを含んで構成される。第１の端面２ｃに引き出された幅広部２１ａの引出部は、第１の端子電極３に電気的且つ物理的に接続される。幅広部２１ｂは、幅狭部２１ｃの他端と連接し、ＧＮＤ電極１２と対向する対向部を含んで構成される。幅広部２１ｂは、第２の端面２ｄに引き出されない。幅狭部２１ｃは、幅広部２１ａ，２１ｂの間に位置しており、積層方向から見て、実装面２ｂに配置された第２の端子電極５，６とは重ならないように形成される。幅狭部２１ｃは、その全面が、ＧＮＤ電極１２と対向する。
【００３３】
第２通電電極２２は、第１通電電極２１と同様、電気信号を送信するための電極であり、図５（ｃ）に示すように、複数の誘電体層１０の内の何れかの誘電体層１０上に形成された略矩形の内部電極である。第２通電電極２２は、第１及び第２の側面２ｅ，２ｆの対向方向に沿った中心線を基準として、第１通電電極２１と線対称な形状を呈し、幅広部２２ａ，２２ｂと幅狭部２２ｃとを含んで構成される。幅広部２２ａ，２２ｂは、第１通電電極２１の幅広部２１ａ，２２ｂに対応し、幅狭部２２ｃは、第１通電電極２１の幅狭部２２ｃに対応する。第２の端面２ｄに引き出される幅広部２２ａの引出部は、第２の端子電極４に電気的且つ物理的に接続される。幅狭部２２ｃは、積層方向から見て、実装面２ｂに配置された第２の端子電極５，６とは重ならないように形成される。このような構成を備えた積層コンデンサ１ａでは、通電電極２１，２２とＧＮＤ電極１２とが誘電体層１０を介して交互に積層され、通電電極２１，２２とＧＮＤ電極１２とが対向する部分により、積層コンデンサ１ａのコンデンサ部が構成されるようになっている。
【００３４】
以上のように、本実施形態に係る積層コンデンサ１ａでも、第１実施形態と同様に、第１及び第２通電電極２１、２２が幅Ｗ１である幅広部２１ａ，２１ｂ，２２ａ，２２ｂと幅Ｗ１よりも狭い幅Ｗ２である幅狭部２１ｃ，２２ｃとを有し、この幅狭部２１ｃ，２２ｃが、積層方向から見て、実装面２ｂに配置された第２の端子電極５，６とは重ならないように形成されている。このため、仮にクラックが発生して、通電電極２１，２２及びＧＮＤ電極１２の間に液体等が侵入して両内部電極間で短絡が発生してしまうことを防止できるようになっている。
【００３５】
第２実施形態に係る積層コンデンサ１ａに用いられる内部電極１２，２１，２２の変形例としては、例えば、図６（ａ）〜（ｃ）に示される構成の内部電極１２，２１，２２であってもよい。図６に示される変形例では、第１通電電極２１の幅狭部２１ｃの形状が異なっており、この幅狭部２１ｃでは、第１及び第２の端面２ｃ，２ｄの対向方向における外縁が内側に湾曲する形状となっている。この幅狭部２１ｃでは、湾曲して最も狭くなっている部分の幅がＷ２となっており、上記同様、この幅狭部２１ｃは、積層方向から見て、実装面２ｂに配置された第２の端子電極５，６とは重ならないように形成されている。第２通電電極２２の幅狭部２２ｃは、上記した幅狭部２１ｃに対応している。その他の構成は、上述した構成と同様である。
【００３６】
（第３実施形態）
続いて、図１及び図７を参照して、第３実施形態に係る積層コンデンサ１ｂの構成について説明する。積層コンデンサ１ｂは、第１及び第２実施形態と同様、直方体形状をしたコンデンサ素体２と、コンデンサ素体２の外表面に配置された端子電極３，４，５，６とを備えた４端子型の積層コンデンサである。以下、第１及び第２実施形態と異なる点を中心に説明する。
【００３７】
コンデンサ素体２は、図７に示されるように、積層された複数の誘電体層１０と、第１通電電極３１（第１の内部電極）と、第２通電電極３２と、誘電体層１０を介して第１及び第２通電電極３１，３２と対向するＧＮＤ電極１２とを有している。第１及び第２の通電電極３１，３２とＧＮＤ電極１２とは、誘電体層１０を介して交互に積層される。
【００３８】
第１通電電極３１は、電気信号を送信するための電極であり、図７（ａ）に示すように、複数の誘電体層１０の内の何れかの誘電体層１０上に形成された略矩形の内部電極である。第１通電電極３１は、第１及び第２の端面２ｃ，２ｄの対向方向の一端にくびれた部分を有するように形成され、幅が通常幅Ｗ１である矩形の幅広部３１ａと、幅が通常幅Ｗ１よりも狭いくびれ幅Ｗ２である矩形の幅狭部３１ｃとを含んで構成される。
【００３９】
幅広部３１ａは、幅狭部３１ｃの一端と連接し、ＧＮＤ電極１２と対向する対向部と、当該対向部から第１の端面２ｃに臨むように延びる引出部とを含んで構成される。第１の端面２ｃに引き出された幅広部３１ａの引出部は、第１の端子電極３に電気的且つ物理的に接続される。幅狭部３１ｃは、幅広部３１ａと後述する第２通電電極３２の間に位置しており、積層方向から見て、実装面２ｂに配置された第２の端子電極５，６とは重ならないように形成される。幅狭部３１ｃは、その全面が、ＧＮＤ電極１２と対向する。
【００４０】
第２通電電極３２は、第１通電電極３１と同様、電気信号を送信するための電極であり、第１通電電極３１と同じ誘電体層１０上に所定距離離間して形成される略矩形の内部電極である。第２通電電極３２は、第１及び第２の側面２ｅ，２ｆの対向方向に沿った中心線を基準として、第１通電電極３１と線対称な形状を呈し、幅広部３２ａと幅狭部３２ｃとを含んで構成される。幅広部３２ａは、第１通電電極３１の幅広部３１ａに対応し、幅狭部３２ｃは、第１通電電極３１の幅狭部３１ｃに対応する。第２の端面２ｄに引き出される幅広部３２ａの引出部は、第２の端子電極４に電気的且つ物理的に接続される。幅狭部３２ｃも、積層方向から見て、実装面２ｂに配置された第２の端子電極５，６とは重ならないように形成される。このような構成を備えた積層コンデンサ１ｂでは、通電電極３１，３２とＧＮＤ電極１２とが誘電体層１０を介して交互に積層され、通電電極３１，３２とＧＮＤ電極１２とが対向する部分により、積層コンデンサ１ｂのコンデンサ部が構成されるようになっている。
【００４１】
以上のように、本実施形態に係る積層コンデンサ１ｂでも、第１及び第２実施形態と同様に、第１及び第２通電電極３１、３２が幅Ｗ１である幅広部３１ａ，３２ａと幅Ｗ１よりも狭い幅Ｗ２である幅狭部３１ｃ，３２ｃとを有し、この幅狭部３１ｃ，３２ｃが、積層方向から見て、実装面２ｂに配置された第２の端子電極５，６とは重ならないように形成されている。このため、仮にクラックが発生して、通電電極３１，３２及びＧＮＤ電極１２の間に液体等が侵入して両内部電極間で短絡が発生してしまうことを防止できるようになっている。
【００４２】
第３実施形態に係る積層コンデンサ１に用いられる内部電極１２，３１，３２の変形例としては、例えば、図８（ａ）、（ｂ）に示される構成の内部電極１２，３１，３２であってもよい。図８に示される変形例では、第１通電電極３１の幅狭部３１ｃの形状が異なっており、この幅狭部３１ｃでは、第１及び第２の端面２ｃ，２ｄの対向方向における外縁が内側に湾曲する形状となっている。この幅狭部３１ｃでは、湾曲して最も狭くなっている部分の幅がＷ２となっており、上記同様、この幅狭部３１ｃは、積層方向から見て、実装面２ｂに配置された第２の端子電極５，６とは重ならないように形成されている。第２通電電極の幅狭部３２ｃは、上記した幅狭部３１ｃに対応している。その他の構成は、上述した構成と同様である。
【００４３】
（第４実施形態）
続いて、図９及び図１０を参照して、第４実施形態に係る積層コンデンサ４０の構成について説明する。積層コンデンサ４０は、直方体形状をしたコンデンサ素体２と、コンデンサ素体２の外表面に配置された端子電極３，４，５ａ〜５ｄ，６ａ〜６ｄとを備えた１０端子型の積層コンデンサである。この積層コンデンサ４０は、貫通コンデンサアレイから構成される。以下、第１実施形態等と異なる点を中心に説明する。
【００４４】
コンデンサ素体２の第１の側面２ｅには、第１の主面２ａから第２の主面２ｂにかけて第１の側面２ｅを５分割するように覆う第２の端子電極５ａ〜５ｄが順に配置される。コンデンサ素体２の第２の側面２ｆには、第１の主面２ａから第２の主面２ｂにかけて第２の側面２ｆを５分割するように覆う第２の端子電極６ａ〜６ｄが順に配置される。第２の端子電極５ａ〜５ｄ，６ａ〜６ｄは、コンデンサ素体２を間に挟んで、第１及び第２の側面２ｅ，２ｆの対向方向に互いに対向する一対の端子電極をそれぞれ構成する。
【００４５】
コンデンサ素体２は、図１０に示されるように、積層された複数の誘電体層１０と、ＧＮＤ電極４１（第１の内部電極）と、誘電体層１０を介してＧＮＤ電極４１と対向する通電電極４２〜４５（第２の内部電極）とを有している。ＧＮＤ電極４１と通電電極４２〜４５とは、誘電体層１０を介して交互に積層される。
【００４６】
ＧＮＤ電極４１は、図１０（ａ）に示すように、複数の誘電体層１０の内の何れかの誘電体層１０上に形成された略矩形の内部電極である。ＧＮＤ電極４１は、第１及び第２の端面２ｃ，２ｄの対向方向に沿って４つのくびれた部分を順に有するように形成され、幅が通常幅Ｗ１（第１の幅）である矩形の幅広部４１ａ，４１ｂと、幅が通常幅Ｗ１よりも狭いくびれ幅Ｗ２である部分を４箇所備えた略矩形の幅狭部４１ｃとを含んで構成される。
【００４７】
幅広部４１ａは、幅狭部４１ｃの一端と連接し、連接した部分から第１の端面２ｃに臨むように延びる引出部を含んで構成される。第１の端面２ｃに引き出された幅広部４１ａの引出部は、第１の端子電極３に電気的且つ物理的に接続される。幅広部４１ｂは、幅狭部４１ｃの他端と連接し、連接した部分から第２の端面２ｄに臨むように延びる引出部を含んで構成される。第２の端面２ｄに引き出された幅広部４１ｂの引出部は、第１の端子電極４に電気的且つ物理的に接続される。
【００４８】
幅狭部４１ｃは、幅広部４１ａ，４１ｂの間に位置しており、積層方向から見て、実装面２ｂに配置された第２の端子電極５ａ〜５ｄ，６ａ〜６ｄとは重ならないように形成される。いいかえると、実装面２ｂに配置された第２の端子電極５ａ〜５ｄ，６ａ〜６ｄを結んだ線上に位置する幅狭部４１ｃの各部分が、第２の端子電極５ａ〜５ｄ，６ａ〜６ｄとに重ならないように、幅広部４１ａ，４１ｂよりも幅が狭くなるように、内側に湾曲するように形成されている。幅狭部４１ｃは、その略全面が通電電極４２〜４５と対向する。
【００４９】
通電電極４２〜４５は、図１０（ｂ）に示すように、複数の誘電体層１０の内の何れかの誘電体層１０上に形成された略十字形の内部電極である。通電電極４２〜４５はそれぞれ、ＧＮＤ電極４１の幅狭部４１ｃと対向してコンデンサ部を形成する矩形の主電極部４２ａ〜４５ａと、主電極部４２ａ〜４５ａそれぞれから第１の側面２ｅに臨むように延びる引出部４２ｂ〜４５ｂと、主電極部４２ａ〜４５ａそれぞれから第２の側面２ｆに臨むように延びる引出部４２ｃ〜４５ｃとを含んで構成される。第１の側面２ｅに引き出された引出部４２ｂ〜４５ｂそれぞれは、第２の端子電極５ａ〜５ｄに電気的且つ物理的に接続され、第２の側面２ｆに引き出された引出部４２ｃ〜４５ｃは、第２の端子電極６ａ〜６ｄに電気的且つ物理的に接続される。このような構成を備えた積層コンデンサ４０では、ＧＮＤ電極４１と通電電極４２〜４５とが誘電体層１０を介して交互に積層され、ＧＮＤ電極４１と通電電極４２〜４５とが対向する部分により、積層コンデンサ４０の各コンデンサ部が構成されるようになっている。
【００５０】
以上のように、本実施形態に係る積層コンデンサ４０でも、ＧＮＤ電極４１が幅Ｗ１である幅広部４１ａ，４１ｂと幅Ｗ１よりも狭い幅Ｗ２である幅狭部４１ｃとを有し、この幅狭部４１ｃが、積層方向から見て、実装面２ｂに配置された第２の端子電極５ａ〜５ｄ，６ａ〜６ｄとは重ならないように形成されている。このため、仮にクラックが発生しても、ＧＮＤ電極４１及び通電電極４２〜４５の間に液体等が侵入して両内部電極間で短絡が発生してしまうことを防止できるようになっている。
【００５１】
（第５実施形態）
続いて、図１１を参照して、第５実施形態に係る積層コンデンサ１ｃの構成について説明する。積層コンデンサ１ｃは、第１実施形態等と同様、直方体形状をしたコンデンサ素体２と、コンデンサ素体２の外表面に配置された端子電極３，４，５，６とを備えた、４端子型の積層コンデンサである。この積層コンデンサ１ｃは、例えば、第１実施形態と同様、通電電極１１やＧＮＤ電極１２を有している。
【００５２】
この積層コンデンサ１ｃでは、コンデンサ素体２に端子電極５，６を形成する際、コンデンサ素体２に対し、内側端子電極５１，６１を直接形成し、その内側端子電極５１，６１の外側に導電性の樹脂電極５２，６２を介在させ、最外層に、外側端子電極５３，６３を形成させるようにしている。すなわち、端子電極５，６が樹脂電極５２，６２を含む３層構造となっている。樹脂電極５２，６２は、金属粉末を導電性材料として含有しており、金属粉末と熱硬化性樹脂とを樹脂層形成用組成物を硬化させてなる電極である。熱硬化性樹脂としては特に制限されないが、例えば、フェノール樹脂、アクリル樹脂、シリコン樹脂、エポキシ樹脂、ポリイミド等を用いることができる。内側及び外側端子電極５１，５３，６１，６３は、例えば、上述したように、導電性金属粉末を含む導電性ペーストから構成される。
【００５３】
このように、応力がかかりやすい第２の端子電極５，６が導電性の樹脂電極を含むことにより、弾性を有する樹脂電極によって、かかる応力を緩和させることができる。その結果、第２の端子電極５，６付近でのクラックの発生自体を抑止することが可能となる。このようにクラックが発生しづらいことにより、積層コンデンサ１ｃの内部電極１１，１２同士の短絡が根本的に防止される。また、第１の端子電極３，４が上述した構成と同様の構成を備え、導電性の樹脂電極を含むようにしてもよい。この場合も、樹脂電極によって応力を緩和させることで、第１の端子電極３，４付近でのクラックの発生を抑止することが可能となる。
【００５４】
以上、本発明の好適な実施形態について詳細に説明したが、本発明は上記実施形態に限定されるものではなく、種々の変形が可能である。例えば、上記各実施形態では、幅狭部１１ｃを有する内部電極１１等を積層方向の全体にわたって積層した例を示したが、かかる幅狭部１１ｃを有する内部電極１１等は実装面２ｂから所定の範囲内に積層される内部電極のみに適用し、積層方向の中央部における内部電極には、幅狭部１１ｃを含まない（つまり、くびれた部分を有しない）内部電極を備える構成としてもよい。この場合、中央部付近では、クラックが側面２ｅ，２ｆ側に向かっていることから、幅狭部１１ｃを含まない内部電極を用いたとしても、クラックによる内部電極間の短絡の発生はほとんどなく、しかも、対向する内部電極の面積を大きくすることができることから、内部電極の短絡を防止しつつ静電容量の増加を図ることが可能となる。
【符号の説明】
【００５５】
１，１ａ，１ｂ，１ｃ，４０…積層コンデンサ、２…コンデンサ素体、３，４…第１の端子電極、５，６，５ａ〜５ｄ，６ａ〜６ｄ…第２の端子電極、１０…誘電体層、１１，２１，２２，３１，３２…通電電極、１２…ＧＮＤ電極、１１ａ，１１ｂ，２１ａ，２１ｂ，２２ａ，２２ｂ，３１ａ，３２ａ…幅広部、１１ｃ，２１ｃ，２２ｃ，３１ｃ，３２ｃ…幅狭部、４１…ＧＮＤ電極、４１ａ，４１ｂ…幅広部、４１ｃ…幅狭部、４２〜４５…通電電極、５２，６２…樹脂電極、Ｃ…クラック。
【図１】
2011049490.tif 000003
【図２】
2011049490.tif 000004
【図３】
2011049490.tif 000005
【図４】
2011049490.tif 000006
【図５】
2011049490.tif 000007
【図６】
2011049490.tif 000008
【図７】
2011049490.tif 000009
【図８】
2011049490.tif 000010
【図９】
2011049490.tif 000011
【図１０】
2011049490.tif 000012
【図１１】
2011049490.tif 000013
【図１２】
2011049490.tif 000014
【図１３】
2011049490.tif 000015